(57)【要約】【課題】  トラック等車両の屋根上や荷台上の高所作業において、その状況及び作業環境に影響されることなく、車両荷台上や車両屋根上へ安定した姿勢で、安全に移動して作業を行おうとする時に、簡単且つ迅速に、作業者の転落防止措置及び転落時の傷害軽減措置を講ずることができる、高所作業時昇降手摺りを提供する。【解決手段】  高所作業時昇降手摺りは、荷台が開放された貨物自動車や屋根上に荷物等を搭載する車両に取り付けられ、荷物の積み下ろしや、車両上より荷物の積み下ろしの指示を行う運転手や指示作業員等の身体を、長さ可変の高所作業時昇降手摺りを、適宜の長さに操作、係留して、車両取付の昇降用梯子昇降中の転落事故を予防し、誤って転落した場合も、できるだけ高い位置で安全帯のフック部が、高所作業時昇降手摺り上端のフック係留部に係留されているので、落下距離が短くなり、転落時の傷害を軽減させられる。【選択図】  図１
2007069878.tif 000002
【特許請求の範囲】
【請求項１】
大径の手摺り外管をトラック荷台や車両取付の昇降用梯子等に固定取付し、上先端部に安全帯係留部を備えた、小径の安全帯係留部付き手摺り内管を上下可変に収納し、常時身長と最適な高さに安全帯係止部を容易且つ迅速に、上下可変させて安全帯フック部を係留使用することを特徴とする、高所作業時昇降手摺り。
【請求項２】
大径の手摺り外管を、トラック荷台や車両取付の昇降用梯子等に固定取付し、安全帯係留部付き手摺り内管を上下可変に収納し、トラック荷台上やトラック屋根上へ梯子等で登る時に、大径の手摺り外管を容易且つ迅速に、上下可変させて梯子昇降用手摺りとして使用することを特徴とする、高所作業時昇降手摺り。
【発明の詳細な説明】
【技術分野】
【０００１】  本発明は、高所にて作業が必要と成る場合に、作業員の安全をより一層高めるための高所作業時昇降手摺りに関し、特に、トラック等車両の荷台上、屋根上で行われる高所作業時に、必要となる高所作業時昇降手摺りに関するものである。
【背景技術】
【０００２】  従来、トラック等車両運転席の屋根上や荷台上に、収納された荷物保護用のシートを荷物に掛けたり、シートを収納するためや、トラック等車両屋根上に荷物を積載する際、また、トラック等車両運転席の屋根上や荷台上の指示用足場兼シート収納部より、荷物の積み込み、荷下ろしを運転手や指示作業員が天井クレーン操作者等に指示誘導をする場合、車両に取り付けられた梯子を使用して、トラック運転席の屋根上や荷台上へ登り作業をする際、車両の屋根高さより上部に手摺りが無いため、前屈姿勢で車両の一部を掴んで登り、降りしており、特に降りる時は前屈姿勢のため足下が見えないので、転落の危険が大きく危険である。【０００３】  安全帯を使用しようとしても、床への転落を防止するために有効な高さの、安全帯を係留する個所も無いため、安全帯を使用する事が出来ないので、車両取付の昇降用梯子を昇降中は無防備で危険である。【０００４】  図５は、従来の技術における車両取付の昇降用梯子２を使用して、運転手や指示作業員Ｔが支持用足場兼シート収納部１ｂへ昇降するときの状態の説明であり。
運転手や指示作業員Ｔが車両取付の昇降用梯子２を登り、トラック等車両１上の指示用足場兼シート収納部１ｂへ乗り移る時、車両取付の昇降用梯子２の上部に身体を支持する手摺りが無いため、前屈姿勢となり、不安定な状態で乗り移らなければならない。【０００５】  特に降りる時には、指示用足場兼シート収納部１ｂから、車両取付の昇降用梯子２に乗り移る時、足下が確認しにくいため、より危険である。
また、車両高よりも高い位置に運転手や指示作業員Ｔが、達したとき安全帯３等を係留する個所がないため、安全処置が出来ない。
安全帯３は、ベルト部３ａ、ロープ部３ｂ、フック部３ｃ具備している。
【発明の開示】
【発明が解決しようとする課題】
【０００６】  車両取付の昇降用梯子２と指示用足場又はシート収納部１ｂ間の移動を安定した姿勢で行うことで、転落事故をなくす。【０００７】  上下自在に安全帯係留部付き手摺り内管４ａを上下させ、最適の高さで安全帯３を係留し転落時の負傷を軽減させる。【０００８】  簡単、迅速に安全帯係留部付き手摺り内管４ａを自在に上昇、下降させれることで場所を選ばず簡単に使用できるようにする。【０００９】  本発明は上記事情を鑑みてなされるもので、その目的とするところは、どのような場所でも、トラック等車両１の荷台上、屋根上等で必要とされる高所作業時において、運転手や指示作業員Ｔの安全が確保できる、高所作業時昇降手摺り４を提供することにある。
【課題を解決するための手段】
【００１０】  本発明は、上記の課題を解決するために以下の手段をとった。すなわち、本発明の高所作業時昇降手摺りはトラック等車両１に固定取付された車両取付の昇降用梯子２等に、取り付け電動モーター、油圧装置等の駆動で容易且つ迅速に、安全帯係留部付き手摺り内管４ａの高さを任意に調整して、手摺りとして使用し梯子昇降中の転落を防止し、かつ、安全帯係留部に安全帯を係留して安全帯係留部付き手摺り内管４ａを最適の高さに設定しながら梯子を昇降することで、転落時の傷害を軽減させることを特徴とするものである。【００１１】  これによれば、運転手や指示作業員Ｔはトラック等車両１に取り付けられた車両取付の昇降用梯子２を登る際、安全帯係留部付き手摺り内管４ａを任意の高さまで伸ばし、車両取付の昇降用梯子２先端部のフック係留部４ｂに手が届くようになれば、フック係留部４ｂに安全帯３のフック３ｃを安全帯係留部１ａに係留して、運転手や指示作業員Ｔは安全帯係留部付き手摺り内管４ａを適宜の高さに調整しながら車両取付の昇降用梯子２を登り、指示用足場兼シート収納部１ｂ等に安定した姿勢で乗り移ることができ、降りる際も足下の確認が容易で、簡単に安全帯係留部付き手摺り内管４ａの作動範囲であれば、どのような高さにでも係止することができるので、きわめて適当なものである。
【発明を実施するための最良の形態】
【００１２】  図１は本発明の実施形態について、図１及び図２を参照して説明する。なお、以下の説明で参照する図面において、従来技術の項等で参照した図面に付された符号であって、本実施形態においても同一の対象を指し示す場合には、同一符号を付すこととする。【００１３】  図１は、本発明の高所作業時昇降手摺りの使用状況を、側面から眺めた説明図である。また、図２は、図１に示すＡ−Ａ断面における矢視図である。
これら図１、図２において、符号４は高所作業時昇降手摺りを示しており、これは駆動装置５とリモートコントロールスイッチ６とを具備している。【００１４】  小径の安全帯係留部付き手摺り内管４ａはリモートコントロールスイッチ６を使い駆動装置５を操作し、大径の手摺り外管４ｃに収納された、上端部に安全帯３フック係留部４ｂを備えた小径の安全帯係留部付き手摺り内管４ａを、昇降させ任意の位置で停止する。【００１５】  また、車両取付の昇降用梯子２等を登る場合運転手や指示作業員Ｔが、安全帯３のフック３ｃを運転手や指示作業員Ｔが手を伸ばして、フック係留部４ｂに係留できる高さに達すれば、その時点でフック３ｃをフック係留部４ｂに係留し、リモートコントロールスイッチ６を使い、駆動装置５を操作して小径の安全帯係留部付き手摺り内管４ａを上昇させ、上昇に合わせて車両取付の昇降用梯子２を登り、指示用足場兼シート収納部１ｂに登り作業をおこなう。【００１６】  図３は、大径の手摺り外管４ｃと小径の安全帯係留部付き手摺り内管４ａとの、働きの位相関係を示す説明図であり、「ステップ１」から「ステップ６」のＡは、図１方向より、Ｂは、図２方向より眺めた図である。
「ステップ１」
トラック等車両１の移動中や、作業を行わない時の、高所作業時昇降手摺りの小径の安全帯係留部付き手摺り内管４ａが大径の手摺り外管４ｃ内に収納されている状態を示し、安全のため駆動装置５の元電源は遮断されている。
「ステップ２」
作業前に駆動装置５の電源を接続し、リモートコントロールスイッチ６を操作して電動モーター等５ａを可動させ、電動モーター等５ａの回転をモーター回転軸５ｄに接続し台付きネジ５ｂに伝導させ安全帯係留部付き手摺り内管４ａ下部に取り付けた台付きナット５ｃが押し上げられ、安全帯係留部付き手摺り内管４ａが、リモートコントロールスイッチ６を操作することで上昇を始めたことを示し、上昇を開始すると大径の手摺り外管４ｃの下部に取り付けた、上昇検知スイッチ８ａが働きトラック等車両１の運転席前面に取り付けた上昇警告ランプ８が、点灯して小径の安全帯係留部付き手摺り内管４ａが上昇していることを表示し、トラック等車両１の移動が危険であることを示す。
「ステップ３」
小径の安全帯係留部付き手摺り内管４ａの昇降を、台付きネジ５ｂと台付きナット５ｃを用いて行っているので、どのような任意の位置に停止させて使用しても、逆伝導しないため任意の高さで使用することができる。
「ステップ４」
安全帯係留部付き手摺り内管４ａが上昇中に上部に天井、梁等の障害物１２があると、小径の安全帯係留部付き手摺り内管４ａの最上端部に取り付けた、障害物検知スイッチ９が障害物に触れ、障害物検知スイッチ９が働き、電動モーター等５ａの電流を遮断して上昇を停止し、同時に警報ブザースイッチ１０ａが接続され、警報ブザー１０を鳴らせて警報を発する。
「ステップ５」
小径の安全帯係留部付き手摺り内管４ａが上昇限界に達すると、大径の手摺り外管４ｃに取り付けた上限界スイッチ９ａが働き、電動モーター等５ａの電流を遮断して上昇を停止させる。
「ステップ６」
作業終了後、小径の安全帯係留部付き手摺り内管４ａの、大径の手摺り外管４ｃへの収納は、リモートコントロールスイッチ６を操作して小径の安全帯係留部付き手摺り内管４ａをトラック等車両１の上端を越えない高さ以下まで下降させると、大径の手摺り外管４ｃ下部に取り付けられた下限界スイッチ９ｂが働き、電動モーター等５ａの電流を遮断して安全帯係留部付き手摺り内管４ａの下降は停止する、と同時に上昇検知スイッチ８ａの電源が遮断され、トラック等車両１の運転席前に取り付けた上昇警告ランプ８が消灯することにより、小径の安全帯係留部付き手摺り内管４ａが大径の手摺り外管４ｃに収納されたことが表示され、ステップ１の状態になったことを示す。【００１７】  作業時に、「ステップ１」から「ステップ６」を反復して使用するものである。
図４は，図３で説明した高所作業時昇降手摺り駆動装置５の拡大説明図であり、左右の安全帯係留部付き手摺り内管、２３，２４が同時に昇降、停止する説明図で、高所作業時昇降手摺り４はその長さを可変とされている。【００１８】  より具体的に図４に示すように、トラック等車両１に取り付けられた大径の右手摺り外管２１及び大径の左手摺り外管２２に収納された、伸縮手摺り上端部に安全帯のフック係留部４ｂを備えた小径の右安全帯係留部付き手摺り内管２３及び小径の左安全帯係留部付き手摺り内管２４は左右が同時に上昇、下降を行うために、駆動装置５の、電動モーター等５ａのモーター回転軸５ｄに接続して、右台付きネジ２５を回転させ、右台付きネジ２５に固定取り付けられた右スポロケット２６が回転し伝導用チェン２７を介して左スポロケット２８に取付た左台付きネジ２９を回転させることで、小径の右安全帯係留部付き手摺り内管２３下部及び、小径の左安全帯係留部付き手摺り内管２４下部に固定取りつけた右台付きナット３０と左台付きナット３１を同時に昇降させ、上端部にフック係留部４ｂを備えた左右の安全帯係留部付き手摺り内管、２３、２４をリモートコントロールスイッチ６を操作することより昇降、係止させるようになっている。【００１９】  所望の長さに可変しその長さを維持するため、右台付きネジ２５と右台付きナット３０及び左台付きネジ２９、左台付きナット３１を用いて昇降させることで、電動モーター等５ａの回転を停止することで、左右の小径の安全帯係留部付き手摺り内管、２３，２４を任意の位置で係止できブレーキ等を使用しなくても逆伝導が発生しないので電動モーター等５ａの停止のみで、係止できるようにした。【００２０】  上述した装置は、電気モーターを駆動源としたものであるが、小径の右安全帯係留部付き手摺り内管２３及び小径の左安全帯係留部付き手摺り内管２４の昇降、係止は油圧式シリンダー、水圧シリンダー、機械式、或いは手動式のものにも置き換えることができる。
【発明の効果】
【００２１】  以上、説明したように高所作業時昇降手摺りは、任意の高さに係止して使用出来るので、どのような場所に移動しても使用でき、トラック等車両の電気を動力源に使用することでトラック等車両には取り付けが容易で、安全帯係留部付き手摺り内管を容易に昇降させて使用することで、運転手や指示作業員が車両取付の昇降用梯子を、登り、降りする際の姿勢に無理が無く、高所からの転落事故を防止出来る、
【００２２】  安全帯係留部付き手摺り内管先端部に安全帯のフック係留部を設けることで、運転手や指示作業員が誤って転落しても、床面まで落下しない高さが確保でき、落下距離が短いため、傷害の程度を軽減させることができる。
【図面の簡単な説明】
【図１】本発明に係る高所作業時昇降手摺りの実施形態において、その使用状況を側面から眺めた説明図である
【図２】図１に示すＡ−Ａ断面における、矢視図である。
【図３】本発明の高所作業時昇降手摺りの、一連の動きの説明図であり、ステップ１からステップ６の符号Ａは、トラック等車両側面〔図１〕より眺めた図であり、符号Ｂは、〔図１〕に示すＡ−Ａ断面における図である。
【図４】図３で説明した、高所作業時昇降手摺りの拡大図である。
【図５】従来のトラック等車両上での指示用足場兼シート収納部等への、乗り移りの説明図であり、符号Ａはトラック屋根上に指示用足場兼シート収納部がある図、符号Ｂは荷台上に指示用足場兼シート収納部がある場合の図である。
【符号の説明】
１  トラック等車両、１ａ  トラック屋根、１ｂ  指示用足場兼シート収納部、２  車両取付の昇降用梯子、３  安全帯、３ａ  ベルト部、３ｂ  ロープ部、３ｃ  フック部、４  高所作業時昇降手摺り、４ａ  安全帯係留部付き手摺り内管、４ｂ  フック係留部  ４ｃ  大径の手摺り外管、５  駆動装置、５ａ  電動モーター等、５ｂ  台付きネジ、５ｃ  台付きナット、５ｄ  モーター回転軸、６  リモートコントロールスイッチ、８  上昇警告ランプ、８ａ  上昇検知スイッチ、９  障害物検知スイッチ、９ａ  上限界スイッチ、９ｂ  下限界スイッチ、１０  警報ブザー、１０ａ  警報ブザースイッチ、１２  天井、梁等の障害物、２１  大径の右手摺り外管、２２  大径の左手摺り外管、２３  小径の右安全帯係留部付き手摺り内管、２４  小径の左安全帯係留部付き手摺り内管、２５  右台付きネジ、２６  右スポロケット、２７  伝導用チェン、２８  左スポロケット、２９  左台付きネジ、３０  右台付きナット、３１  左台付きナット、
【図１】
2007069878.tif 000003
【図２】
2007069878.tif 000004
【図３】
2007069878.tif 000005
【図４】
2007069878.tif 000006
【図５】
2007069878.tif 000007